(57)【要約】【課題】爪部と軸受部を一体化したロック爪を用いるロック機構付きカバーにおける組み付け性を向上させるとともに、部品コスト、組立コスト及び解体コストの低減とリサイクル性向上を図ることができる構造を提供する。【解決手段】画像形成装置等に回動可能に軸支するカバー１、これに取り付ける回転軸３、装置構成体等に係脱可能に回転軸３に取り付けるロック爪４Ｆ、４Ｒとからなる。ロック爪４Ｆ、４Ｒは回転位置を固定可能に回転軸３を通すＤ型形状の軸支部分を有し、この部分が回転軸３をカバー１に取り付ける軸受部を兼ねる。回転軸３及びロック爪４Ｆ、４Ｒの軸受部４Ｆｂ、４Ｆｂを通すカバー１の穴１４は、第１の穴１４ａとこれに連通し径が大きい第２の穴１４ｂからなる。軸受部４Ｆｂ、４Ｆｂを第２の穴１４にまず通し、それから第１の穴１４ａへ弾性変形を利用して押し込み保持する。【選択図】　　　　図３
2004104008.tif 000002
【特許請求の範囲】
【請求項１】
画像形成装置等の装置構成体に回動可能に軸支して取り付けるカバーと、上記カバーに取り付ける軸と、上記装置構成体またはその他の装置構成体に対して係脱できるように上記軸に取り付けるロック爪体とからなり、上記ロック爪体が回転位置を固定可能に上記軸を内挿する軸支部を有し、該軸支部が上記軸を上記カバーに取り付けるための軸受部を兼ね、上記カバーが、該兼用の軸受部を軸支する第１の穴と、該第１の穴に連通し径が該第１の穴より大きい第２の穴とを有し、該第２の穴から上記第１の穴へ上記兼用の軸受部を押し込み保持可能としてなることを特徴とするロック機構付きカバー。
【請求項２】
請求項１のロック機構付きカバーにおいて、上記兼用の軸受部が、上記ロック爪体の上記軸の軸線方向の位置を固定するためのストップ爪体を一体に備えることを特徴とするロック機構付きカバー。
【発明の詳細な説明】
【０００１】
【発明の属する技術分野】
本発明は、画像形成装置等の装置構成体に設けるロック機構付きカバーに関する。
【０００２】
【従来の技術】
図４〜図６は、画像形成装置に設けられる従来のロック機構付きカバーの構成を示す。図中１がカバー、２が取手、３が回転軸、４Ｆ、４Ｒが軸受付きのロック爪である。カバー１は、図７に示すようなトナーカートリッジ１０の様々な情報をメモリーしておくＩＤチップ１１のカバーとして用いるときは、人体からの静電気によるＩＤチップ１１の内部データ破壊を防止するために、人体に帯電した静電気を放電する機能を備える構造とする。
【０００３】
例えば、カバー１の取手２とロック爪４Ｆ、４Ｒの回転軸３は人体に帯電した静電気を放電するために導電性材質で作成する。またロック爪４Ｆ、４Ｒは、導電性材質の回転軸３との間における摩擦による異常音（キュッキュッという音）の防止とコストダウン、リサイクル性向上を目的として回転支点となる軸受部を爪部と一体にした形状、構造としてある。ロック爪４Ｆ、４Ｒは回転軸３の両端側に位置可変に設けてあり、回転軸３に形成してあるＥリング溝５、５にＥリング（図示せず）を装着して位置を固定するようになっている。なお図中６はカバー１を画像形成装置本体等の装置構成体に回転可能に軸支するための穴であり、またロック爪４Ｆ、４Ｒを係止する相手部材は画像形成装置本体等の装置構成体に設けるが図示は省略してある。
【０００４】
この従来の構造における組み付け方法は、まず一側のロック爪４Ｆを固定位置よりも内側に移動させておき、回転軸３のロック爪４Ｆから突出する側を、図６の矢印で示すように先にカバー１の右の穴１ａへ挿入し、その後、回転軸３のロック爪４Ｒから突出する側を左の穴１ｂへ挿入し、その軸受部を穴１ｂに嵌着し（図５）、次いでロック爪４Ｆを回転軸３に沿ってスライドさせて規定の位置へ戻し、その軸受部をカバー１の穴１ａへ挿入して軸支し、最後にＥリングをＥリング溝５、５に嵌めてロック爪４Ｆ、４Ｒのスラスト方向の固定を行っていた（図４Ａ）。
【０００５】
そして、図７に示したＩＤチップ１１の付いたトナーカートリッジ１０を交換等する際に、取手２を押すと回転軸３が回転し、両端にあるロック爪４Ｆ、４Ｒが持ち上がり、図示せぬ画像形成装置本体等の装置構成体に設けたロック軸からロック爪４Ｆ、４Ｒが外れるようになっている。その後、カバー１を閉めて取手２から手を離すとロック爪４Ｆ、４Ｒがロック位置へ自然に戻って図示せぬロック軸と係合するようになっている。なお図示しないが、回転軸３の端部にはアース板が接触しており、カバー１の閉時にはこのアース板が画像形成装置本体のアースの取れている箇所へも接触して静電気を放電している。従って、操作者が静電気を帯びていたとしても取手２に触ると同時に取手２から回転軸３、アース板、画像形成装置本体へと静電気が流れ、その後のカートリッジ１０の脱着作業等によりＩＤチップ１１周辺に触れたとしてもＩＤチップ１１の内部データが静電気により破壊されることがないようになっている。
【０００６】
【発明が解決しようとする課題】
この構造では、取手２とロック爪４Ｆのラジアル方向の固定を行っているフライス面のスラスト方向の長さは、固定時には図４（Ａ）で示すように寸法ｌで足りるが、組み付け途中ではロック爪４Ｆを内側へ逃がさなければならないため寸法Ｌ（Ｌ＞ｌ）が必要となり（図５）、フライス面の長さが長い分フライス加工に掛かる作業時間が増加し、コストが上昇していた。またＥリングを必要とする等の部品点数増加によるコスト上昇、Ｅリング取り付け工具を必要とするための工程時間増加、組立コスト上昇という問題もあった。
【０００７】
さらに、カバー１他のリサイクルを行うことを目的に解体する場合にもやはり工具を必要とするため、解体時間が増加し、その分解体コストが上昇していた。
【０００８】
本発明は上記従来の問題点にかんがみてなしたもので、爪部と軸受部を一体化したロック爪を用いるロック機構付きカバーにおける組み付け性を向上させるとともに、部品コスト、組立コスト及び解体コストの低減とリサイクル性向上を図ることができる構造を提供することを目的とする。
【０００９】
【課題を解決するための手段】
本発明のロック機構付きカバーのうち請求項１に係るものは、上記目的を達成するために、画像形成装置等の装置構成体に回動可能に軸支して取り付けるカバーと、上記カバーに取り付ける軸と、上記装置構成体またはその他の装置構成体に対して係脱できるように上記軸に取り付けるロック爪体とからなり、上記ロック爪体が回転位置を固定可能に上記軸を内挿する軸支部を有し、該軸支部が上記軸を上記カバーに取り付けるための軸受部を兼ね、上記カバーが、該兼用の軸受部を軸支する第１の穴と、該第１の穴に連通し径が該第１の穴より大きい第２の穴とを有し、該第２の穴から上記第１の穴へ上記兼用の軸受部を押し込み保持可能としてなることを特徴とする。
【００１０】
同請求項２に係るものは、上記目的を達成するために、請求項１のロック機構付きカバーにおいて、上記兼用の軸受部が、上記ロック爪体の上記軸の軸線方向の位置を固定するためのストップ爪体を一体に備えることを特徴とする。
【００１１】
【発明の実施の形態】
以下本発明の実施の形態を図面を参照して説明する。なお以下では従来の例と共通する部分には共通する符号を付して説明する。
図１は本発明に係るロック機構付きカバーの分解斜視図（Ａ）と断面図（Ｂ）である。図７に示したＩＤチップ１１の付いたトナーカートリッジ１０を交換等する際に開閉するカバー１には導電性材質製の取手２と、同じく導電性材質製の回転軸３が回動自在に装着してあり、回転軸３の両端部には軸受付きのロック爪４Ｆ、４Ｒが固定してある点は先に説明した従来の例と同様である。
【００１２】
取手２の下面側には、板バネ１３が固設してあり、取手２から手を離すとロック爪４Ｆ、４Ｒがロック位置へ自然に戻ってロック軸１２と係合するようになっている。図示しないが、回転軸３の端部にはアース板が接触しており、カバー１の閉時にはこのアース板が画像形成装置本体のアースの取れている箇所へも接触して静電気を放電している。
【００１３】
ロック爪４Ｆ、４Ｒはカバー１を閉める時にスムーズに回動動作が可能なように摺動性部材で形成してあるが、一体成形した外径φＡの軸受部４Ｆｂ、４Ｆｂがカバー１の穴１４に嵌り、回動時の摩擦による異常音発生を防止している。
【００１４】
このロック爪４Ｆ、４Ｒは、回転軸３に対するラジアル方向の固定を回転軸３の表面の一部とロック爪４Ｆ、４Ｒの内径のそれぞれを図示のようにＤ型形状にして行っており、回転軸３のスラスト方向の固定は一体成形されたストップ爪部４Ｆａ、４Ｆａを回転軸３に設けた溝３ａ、３ｂに嵌め込むことによって行っている。
【００１５】
図２に示すように、ロック爪４Ｆ、４Ｒを取り付けるカバー１の穴１４は、ロック爪４Ｆ、４Ｒの軸受部４Ｆｂ、４Ｆｂを固定するφＡの丸穴１４ａと、組み付け時に一時的に軸受部４Ｆｂ、４Ｆｂを挿入するφＢの丸穴１４ｂを幅ａの寸法で連結するように形成してある。この幅寸法ａ及び上述した丸穴１４ａ、丸穴１４ｂの径Ａ、Ｂとの間には、ａ＞Ａ＞Ｂの関係が設けてある。
【００１６】
したがって、サブアセンブリしたロック爪４Ｆ、４Ｒ、回転軸３、取手２をカバー１に取り付けるには、穴１４の下方の径がφＢの丸穴１４ｂへまず回転軸３の両端ともに挿入し、ロック爪４Ｆ、４Ｒの軸受部４Ｆｂ、４Ｆｂを丸穴１４ｂへ緩く嵌着しておき、ついで弾性変形を利用して軸受部４Ｆｂ、４Ｆｂを幅ａの連結部分を通して径がφＡの丸穴１４ａへ強制的に通す。すると、軸受部４Ｆｂ、４ＦｂがφＡの丸穴１４ａで回動自在に軸支される。
【００１７】
そして、図７に示したＩＤチップ１１の付いたトナーカートリッジ１０を交換等する際に、取手２を押すと回転軸３が回転し、両端にあるロック爪４Ｆ、４Ｒが持ち上がり、図示せぬ画像形成装置本体等の装置構成体に設けロック軸１２からロック爪４Ｆ、４Ｒが外れる。カバー１を閉めて取手２から手を離すと、板バネ１３の付勢力でロック爪４Ｆ、４Ｒがロック位置へ自然に戻ってロック軸１２と係合する（図３）。
【００１８】
なお本実施形態でも、図示は省略するが回転軸３の端部にはアース板が接触しており、カバー１の閉時にはこのアース板が画像形成装置本体のアースの取れている箇所へも接触して静電気を放電している。従って、操作者が静電気を帯びていたとしても取手２に触ると同時に取手２から回転軸３、アース板、画像形成装置本体へと静電気が流れ、その後のカートリッジ１０の脱着作業等によりＩＤチップ１１周辺に触れたとしてもＩＤチップ１１の内部データが静電気により破壊されることがない。
【００１９】
【発明の効果】
本発明の請求項１に係るロック機構付きカバーは、以上説明してきたように、ロック爪のスラスト方向の固定を行うストップ爪部をロック爪と一体形状とすることにより、静電気の放電機能を維持しつつ部品コスト、組立コスト、解体コストの低減とリサイクル性向上が可能となるという効果がある。
【００２０】
同請求項２に係るロック機構付きカバーは、上記共通の効果に加え、組み付け時にロック爪をスラスト方向に移動させるための余分なフライス面を設ける必要が無くなり、フライス面長さが必要最小限で済むため部品コストを低減することが可能となるという効果がある。
【図面の簡単な説明】
【図１】本発明に係るロック機構付きカバーの分解斜視図（Ａ）と断面図（Ｂ）である。
【図２】図１の実施形態でカバーに設けた穴の形状を示す拡大図である。
【図３】図１の実施形態の動作を示す断面図である。
【図４】従来のロック機構付きカバーの構成を示す断面図（Ａ）と斜視図（Ｂ）である。
【図５】従来のロック機構付きカバーの動作を示す断面図である。
【図６】従来のロック機構付きカバーの動作を示す断面図である。
【符号の説明】
１　カバー
２　取手
３　回転軸
３ａ、３ｂ　回転軸の溝
４Ｆ、４Ｒ　ロック爪
４Ｆａ、４Ｆａ　ストップ爪部
４Ｆｂ、４Ｆｂ　軸受部
１０　トナーカートリッジ
１１　ＩＤチップ
１２　ロック軸
１３　板バネ
１４　カバーの穴
１４ａ、１４ｂ　丸穴
【図１】
2004104008.tif 000003
【図２】
2004104008.tif 000004
【図３】
2004104008.tif 000005
【図４】
2004104008.tif 000006
【図５】
2004104008.tif 000007
【図６】
2004104008.tif 000008